(57)【要約】【課題】本発明は、型枠装置であり、例えばＵ字状側溝・水路などの底面にその幅方向略中央位置に溝条を設け、水量が少ないときでも該溝条に沿って水が流れるため、汚泥等が滞留しない側溝、すなわちこのような特殊な形状をしたコンクリート製品を製造するにあたり、既設の型枠装置に若干の変更を加えて容易に製作でき、また該型枠装置を使用したコンクリート製品を容易にかつコストを安価にして提供することを目的とするものである。【解決手段】本発明は、底型枠と該底型枠上に載置された略逆Ｕ字状をなす内型枠と内型枠の両側に間隔をおいて底型枠より立設された一対の外型枠とを有する略Ｕ字状側溝・水路形成用型枠装置であって、内型枠の頂部略中央に突条の補助型枠を取り付けた、ことを特徴とする。【選択図】          図１
2006116811.tif 000002
【特許請求の範囲】
【請求項１】
底型枠と該底型枠上に載置された略逆Ｕ字状をなす内型枠と該内型枠の両側に間隔をおいて底型枠より立設された一対の外型枠と、
を有する略Ｕ字状側溝・水路形成用型枠装置であって、
前記内型枠の頂部略中央に突条の補助型枠を取り付けた、
ことを特徴とする型枠装置。
【請求項２】
底型枠と該底型枠から間隔をあけて取り付けられた略角筒状をなす内型枠と該内型枠の両側に間隔をおいて底型枠より立設された一対の外型枠と、
を有する暗渠型側溝・ボックスカルバート形成用型枠装置であって、
前記内型枠の一側面略中央に突条の補助型枠を取り付けた、
ことを特徴とする型枠装置。
【請求項３】
底型枠と該底型枠上に載置された略逆Ｕ字状をなす内型枠と該内型枠の両側に間隔をおいて底型枠より立設された一対の外型枠と、
を有する既設のＵ字状側溝・水路形成用型枠装置であって、
前記内型枠の頂部略中央に突条の補助型枠を取り付け、
前記一対の外型枠先端側には延長用の第２外型枠を取り付けた、
ことを特徴とする型枠装置。
【請求項４】
底型枠と該底型枠上に載置された略角筒状をなす内型枠と該内型枠の外側に間隔をおいて底型枠より立設された略角筒状に組み立てられた外型枠と、
を有する暗渠型側溝・ボックスカルバート形成用型枠装置であって、
前記内型枠の一側面略中央に突条の補助型枠を取り付けた、
ことを特徴とする型枠装置。
【請求項５】
底型枠と該底型枠上に載置された内型枠と該内型枠の一側に当接して立設された外型枠と前記内型枠の他端側は該内型枠と間隔をおいて底型枠より立設された外型枠と、
を有する略Ｌ型外渠形成用型枠装置であって、
前記内型枠の頂部端に突条の補助型枠を取り付けた、
ことを特徴とする型枠装置。
【請求項６】
前記補助型枠の取り付けは接着、溶接、磁力による吸引及びボルト締めにより行う、  
ことを特徴とする請求項１、請求項２、請求項３、請求項４または請求項５記載の型枠装置。
【請求項７】
前記補助型枠の形状は三角突条、略半円突条あるいは略半円突条の幅方向中央頂部に半円小山突条が形成されて二段山条とされた、
ことを特徴とする請求項１、請求項２、請求項３、請求項４、請求項５または請求項６記載の型枠装置。
【請求項８】
前記補助型枠は前記内型枠と一体にして形成された、
ことを特徴とする請求項１、請求項２、請求項３、請求項４、請求項５、請求項６または請求項７記載の型枠装置。
【請求項９】
請求項１、請求項２、請求項３、請求項４、請求項５、請求項６、請求項７または請求項８記載の型枠装置により形成された、
ことを特徴とするコンクリート製品。
【発明の詳細な説明】
【技術分野】
【０００１】
本発明は、例えば暗渠型側溝あるいはＵ字状側溝・水路などのコンクリート製品形成用型枠装置および当該型枠装置により形成されたＵ字状側溝・水路などコンクリート製品に関するものである。
【背景技術】
【０００２】
従来、暗渠型側溝あるいはＵ字状側溝・水路などのコンクリート製品を形成する型枠装置は、図３２、図３３から理解されるように底型枠と該底型枠の略中央に載置される内型枠と該内型枠の幅方向両側に所定の間隔を有して立設された一対の外型枠から構成されている。
【０００３】
【特許文献１】特開２０００−８７４３５号公報
【発明の開示】
【発明が解決しようとする課題】
【０００４】
しかしながら、上記の当該型枠装置等従来の型枠装置から形成されるコンクリート製Ｕ字状側溝・水路はその底面がフラット面として形成されているため、当該Ｕ字状側溝・水路を敷設して側溝を形成した場合、該側溝を流れる水量が少ないときに、長年の使用によっては、この底面に汚泥が沈殿して滞留してしまい、ひいては側溝内において雨水等の水がせき止められて、流れなくなってしまうとの課題があった。
【０００５】
そこで、例えばＵ字状側溝・水路などの底面にその幅方向略中央位置に溝条を設けるなどし、水量が少ないときでも該溝条に沿って速い流速で水が流れ、底面に汚泥等が滞留しない側溝が要望されるに至った。
【０００６】
しかし、このような特殊な形状をしたコンクリート製品を作製する型枠装置を新しく製造することは多大なコストを強いることにもなり、またコンクリート製品自体の製造コストをも高価にしてしまうとの課題があった。
【０００７】
かくして、本発明は上記課題に対処するために創案されたものであり、本発明による型枠装置は、例えばＵ字状側溝・水路などの底面にその幅方向略中央位置に溝条を設け、水量が少ないときでも該溝条に沿って水が流れるため、汚泥等が滞留しない側溝、すなわちこのような特殊な形状をしたコンクリート製品を製造するにあたり、既設の型枠装置に若干の変更を加えて容易に製作でき、また該型枠装置を使用したコンクリート製品を容易にかつコストを安価にして提供することを目的とするものである。
【課題を解決するための手段】
【０００８】
本発明による型枠装置は、
底型枠と該底型枠上に載置された略逆Ｕ字状をなす内型枠と該内型枠の両側に間隔をおいて底型枠より立設された一対の外型枠と、
を有する略Ｕ字状側溝・水路形成用型枠装置であって、
前記内型枠の頂部略中央に突条の補助型枠を取り付けた、
ことを特徴とし、
または、
底型枠と該底型枠から間隔をあけて取り付けられた略角筒状をなす内型枠と該内型枠の両側に間隔をおいて底型枠より立設された一対の外型枠と、
を有する暗渠型側溝・ボックスカルバート形成用型枠装置であって、
前記内型枠の一側面略中央に突条の補助型枠を取り付けた、
ことを特徴とし、
または、
底型枠と該底型枠上に載置された略逆Ｕ字状をなす内型枠と該内型枠の両側に間隔をおいて底型枠より立設された一対の外型枠と、
を有する既設のＵ字状側溝・水路形成用型枠装置であって、
前記内型枠の頂部略中央に突条の補助型枠を取り付け、
前記一対の外型枠先端側には延長用の第２外型枠を取り付けた、
ことを特徴とし、
または、
底型枠と該底型枠上に載置された略角筒状をなす内型枠と該内型枠の外側に間隔をおいて底型枠より立設された略角筒状に組み立てられた外型枠と、
を有する暗渠型側溝・ボックスカルバート形成用型枠装置であって、
前記内型枠の一側面略中央に突条の補助型枠を取り付けた、
ことを特徴とし、
または、
底型枠と該底型枠上に載置された内型枠と該内型枠の一側に当接して立設された外型枠と前記内型枠の他端側は該内型枠と間隔をおいて底型枠より立設された外型枠と、
を有する略Ｌ型外渠形成用型枠装置であって、
前記内型枠の頂部端に突条の補助型枠を取り付けた、
ことを特徴とし、
または、
前記補助型枠の取り付けは接着、溶接、磁力による吸引及びボルト締めにより行う、  
ことを特徴とし、
または、
前記補助型枠の形状は三角突条、略半円突条あるいは略半円突条の幅方向中央頂部に半円小山突条が形成されて二段山条とされた、
ことを特徴とし、
または、
前記補助型枠は前記内型枠と一体にして形成された、
ことを特徴とし、
または、
Ｕ字状側溝・水路、暗渠型側溝・ボックスカルバート、Ｌ型街渠などのコンクリート製品は、前記型枠装置により形成された、
ことを特徴とするものである。
【発明の効果】
【０００９】
本発明による型枠装置並びに該型枠装置により製造されたコンクリート製品であれば、
例えばＵ字状側溝・水路などの底面にその幅方向略中央位置に溝条を設けるなどし、水量が少ないときでも該溝条に沿って速い流速で水が流れ、底面に汚泥等が滞留しない側溝のような特殊な形状をしたコンクリート製品を作製する型枠装置につき、新しく製造することなく、よって多大なコストを強いることもなく、またコンクリート製品自体の製造コストをも高価にすることなく、前記のような特殊形状をしたコンクリート製品を製造するにあたり、既設の型枠装置に若干の変更を加えて容易に製作でき、また該型枠装置を使用したコンクリート製品を容易にかつコストを安価にして提供できるなど優れた効果を奏する。
【発明を実施するための最良の形態】
【００１０】
以下本発明を図に示す実施例に基づいて説明する。
【００１１】
図１において符号１は型枠装置を示し、該型枠装置１は底型枠２とこの底型枠２の上に載置された略逆Ｕ字状をなす内型枠３とこの内型枠３の両側に間隔をおいて底型枠２から立設された一対の外型枠４，４と、図１には示されてはいないが前後の外型枠とから構成されている。
【００１２】
そして従来より、この型枠装置１内にコンクリートを充填、打設してコンクリート製Ｕ字状側溝・水路９などコンクリート製品が形成されている（図３２，図３３）。  
しかして本発明においては前記の型枠装置１において補助型枠５が使用される。
【００１３】
ここで、本発明による型枠装置１として各々の型枠部材を新たに作製し、新規な型枠装置１を形成してもよいし、従来からの、すなわち既設の型枠装置１を利用し、これに改良を加えたものを使用しても構わない。
【００１４】
そして、本発明は、既設の型枠装置１を使用できて、新たに本発明で開発、提案されたＵ字状側溝・水路９、暗渠型側溝・ボックスカルバート１２など新製品としてのコンクリート製品が迅速対応で製造できるメリットがあるとも言いうる。
【００１５】
まず、図１に示すように補助型枠５は断面が略半円状をなす突条部材６と該突条部材６を内型枠３の幅方向略中央位置に固定する固定部材１１とにより構成される。
【００１６】
図１において固定部材１１はボルト状をなす固定部材１１が用いられており内型枠３の内側から固定部材７を挿入し、内型枠３を貫通させて突状部材６の雌ねじ部に螺合し、該突条部材６を前記内型枠３に固着している。
【００１７】
尚、この補助型枠５の材質については何ら限定されることはないが、合成樹脂材、ゴム材、プラスチック材等の成型加工しやすい部材を使用することが好ましい。
【００１８】
また、図１から理解されるように、図３１，図３２に示す既設の型枠装置１の両外型枠４，４を途中で切断し、第２外型枠７，７を連結板８により接続することで例えばＵ字状側溝・水路９の底壁１０の厚みを厚くすることが出来る。
【００１９】
この様に底壁１０部分の厚みを厚くすれば、たとえ底壁１０の幅方向中央位置に厚みが薄くなる凹み部（後述する流水路１３）が形成されても強度的に課題が生ずることがないからである。
【００２０】
しかして、図１の型枠装置１から製造されたＵ字状側溝・水路９は図１３に示されている。図１３から理解されるように、底壁１０の幅方向略中央位置に略半円状の溝条からなる流水路１３が設けられたＵ字状側溝・水路９となっている。しかして、このようなＵ字状側溝・水路９であればたとえＵ字状側溝・水路９内を流れる水の水量が極端に少ない場合であっても、Ｕ字状側溝・水路９内底壁１０に設けられた小さな凹みである流水路１３内を速い流速を持ってスムーズに雨水などが流れることとなり、決してＵ字状側溝・水路９内の水が滞留する事態とならず、その結果、汚泥が滞留することもないのである。
【００２１】
次に、図２では補助型枠５の形状として断面三角形状の突条部材６を使用する。この図２から製造されたＵ字状側溝・水路９は図１４に示されている。このように底壁１０の幅方向略中央位置に略三角形状の溝条からなる流水路１３が設けられたＵ字状側溝・水路９となっている。しかして、このようなＵ字状側溝・水路９であればさらに極端に水量が少ない場合であっても、速い流速をもって前記流水路１３内をスムーズに雨水などが流れ、底面に汚泥等が滞留することはない。
【００２２】
尚、図２４あるいは図２５に示す型枠装置１からは図２８あるいは図２９のＵ字状側溝・水路９が得られる。
【００２３】
このように、補助型枠５の形状は様々の形状に形成することが出来る。例えば図２２に示すように、三角突条、略半円突条あるいは略半円突条の幅方向中央頂部にさらに半円小山突条が形成されて二段山条に形成された形状が考えられる。
【００２４】
また、上記の形状を基準にして図５から図７に示すように幅広の流水路１３とすることも出来る。
【００２５】
さらに、図８に示すように補助型枠５を内型枠３と一体に形成してもよい。このような補助型枠５であればさらに耐久性のある型枠装置１としうる。
【００２６】
次に補助型枠５の内型枠３への取り付けにつき説明する。当該取り付け方法は接着、溶接、磁力による吸引及びボルト締めにより行える。
【００２７】
ここで、前記の接着による取り付けとしては両面テープ、ボンド等の接着剤を使用することが考えられる。既設の型枠装置１に前記の両面テープや接着剤で接着するもので主に、ゴム材や合成樹脂材で形成された補助型枠５を取り付けるのに適する。簡単に取り付けられ、かつ簡単に取り外すことが出来る。
【００２８】
また、長期間の型枠使用にあっては、補助型枠５を溶接で確実に固着するのがよい。
【００２９】
さらに補助型枠５内に磁石を内設し、例えば鉄製の内型枠３に吸引取り付けしたり、内型枠３の下側に磁石を取り付け、これにより補助型枠５内に内接した鉄材１５を吸引したりして補助型枠５を取り付けることが出来る。しかして、図２１に各種取り付けの詳細を示す。
【００３０】
次に、図９から図１２に略角筒状をなすいわゆる暗渠型側溝・ボックスカルバート１２等のコンクリート製品の形成に使用される型枠装置１の構成を示す。
これらの各図に使用されている型枠装置１は４枚の外側型枠１４を角筒状に組み立てたもので、その内部には径の小さい角筒状の内型枠３が前記外側型枠１４と所定の間隔をおいて立設されている。そして、内型枠３と外側型枠１４との間にコンクリートを充填し、所定期間の養生、固化後脱型して暗渠型側溝・ボックスカルバート１２等のコンクリート製品が形成される。
ここで、補助型枠５の各種形状及び取り付けの方法は前記Ｕ字状側溝・水路９の形成の場合と同様である。
【００３１】
図９の型枠装置１からは図１７に示す暗渠型側溝・ボックスカルバート１２が形成され、図１０の型枠装置１からは図８に示す暗渠型側溝・ボックスカルバート１２が形成され、図１１、図１２の型枠装置１からはそれぞれ図１９、図２０に示す暗渠型側溝・ボックスカルバート１２が形成される。
【００３２】
尚、図２３から理解されるように、Ｕ字状側溝・水路９の形成用型枠装置１と同様の構成からなる型枠装置１で暗渠型側溝・ボックスカルバート１２も作製出来る。
【００３３】
ここで、図２３に示す型枠装置１で暗渠型側溝・ボックスカルバート１２を作製する場合には、補助型枠５を取り付けて流水路１３を形成する側（底壁１０）の厚みを厚くすることができ、この箇所から暗渠型側溝・ボックスカルバート１２あるいはボックスカルバート型コンクリート製品が破損するのを防止することが出来るものとなる。
【００３４】
次に、図２６，図２７に略Ｌ型をなすいわゆるＬ型街渠１６形成用の型枠装置１を示す。そして該型枠装置１から形成されるＬ型街渠１６を図３０，図３１に示す。
【００３５】
このようなＬ型街渠１６についても溝条をなす流水路１３を設ければ、汚泥の滞留を防止できる。
【図面の簡単な説明】
【００３６】
【図１】本発明による型枠装置の構成を説明する構成説明図（その１）である。
【図２】本発明による型枠装置の構成を説明する構成説明図（その２）である。
【図３】本発明による型枠装置の構成を説明する構成説明図（その３）である。
【図４】本発明による型枠装置の構成を説明する構成説明図（その４）である。
【図５】本発明による型枠装置の構成を説明する構成説明図（その５）である。
【図６】本発明による型枠装置の構成を説明する構成説明図（その６）である。
【図７】本発明による型枠装置の構成を説明する構成説明図（その７）である。
【図８】本発明による型枠装置の構成を説明する構成説明図（その８）である。
【図９】本発明による型枠装置の構成を説明する構成説明図（その９）である。
【図１０】本発明による型枠装置の構成を説明する構成説明図（その１０）である。
【図１１】本発明による型枠装置の構成を説明する構成説明図（その１１）である。
【図１２】本発明による型枠装置の構成を説明する構成説明図（その１２）である。
【図１３】本発明で形成されたコンクリート製品の構成を説明する説明図（その１）である。
【図１４】本発明で形成されたコンクリート製品の構成を説明する説明図（その２）である。
【図１５】本発明で形成されたコンクリート製品の構成を説明する説明図（その３）である。
【図１６】本発明で形成されたコンクリート製品の構成を説明する説明図（その４）である。
【図１７】本発明で形成されたコンクリート製品の構成を説明する説明図（その５）である。
【図１８】本発明で形成されたコンクリート製品の構成を説明する説明図（その６）である。
【図１９】本発明で形成されたコンクリート製品の構成を説明する説明図（その７）である。
【図２０】本発明で形成されたコンクリート製品の構成を説明する説明図（その８）である。
【図２１】補助型枠の取り付け方法を説明する説明図である。
【図２２】補助型枠の各種形状を説明する説明図である。
【図２３】本発明による型枠装置の構成を説明する構成説明図（その１３）である。
【図２４】本発明による型枠装置の構成を説明する構成説明図（その１４）である。
【図２５】本発明による型枠装置の構成を説明する構成説明図（その１５）である。
【図２６】本発明による型枠装置の構成を説明する構成説明図（その１６）である。
【図２７】本発明による型枠装置の構成を説明する構成説明図（その１７）である。
【図２８】本発明で形成されたコンクリート製品の構成を説明する説明図（その９）である。
【図２９】本発明で形成されたコンクリート製品の構成を説明する説明図（その１０）である。
【図３０】本発明で形成されたコンクリート製品の構成を説明する説明図（その１１）である。
【図３１】本発明で形成されたコンクリート製品の構成を説明する説明図（その１２）である。
【図３２】従来の型枠装置を説明する説明図（その１）である。
【図３３】従来の型枠装置を説明ずる説明図（その２）である。
【符号の説明】
【００３７】
１      型枠装置
２      底型枠
３      内型枠
４      外型枠
５      補助型枠
６      突条部材
７      第２外型枠
８      連結板
９      Ｕ字状側溝・水路  
１０      底壁
１１      固定部材
１２      暗渠型側溝・ボックスカルバート
１３      流水路
１４      外側型枠
１５      鉄材
１６      Ｌ型街渠
【図１】
2006116811.tif 000003
【図２】
2006116811.tif 000004
【図３】
2006116811.tif 000005
【図４】
2006116811.tif 000006
【図５】
2006116811.tif 000007
【図６】
2006116811.tif 000008
【図７】
2006116811.tif 000009
【図８】
2006116811.tif 000010
【図９】
2006116811.tif 000011
【図１０】
2006116811.tif 000012
【図１１】
2006116811.tif 000013
【図１２】
2006116811.tif 000014
【図１３】
2006116811.tif 000015
【図１４】
2006116811.tif 000016
【図１５】
2006116811.tif 000017
【図１６】
2006116811.tif 000018
【図１７】
2006116811.tif 000019
【図１８】
2006116811.tif 000020
【図１９】
2006116811.tif 000021
【図２０】
2006116811.tif 000022
【図２１】
2006116811.tif 000023
【図２２】
2006116811.tif 000024
【図２３】
2006116811.tif 000025
【図２４】
2006116811.tif 000026
【図２５】
2006116811.tif 000027
【図２６】
2006116811.tif 000028
【図２７】
2006116811.tif 000029
【図２８】
2006116811.tif 000030
【図２９】
2006116811.tif 000031
【図３０】
2006116811.tif 000032
【図３１】
2006116811.tif 000033
【図３２】
2006116811.tif 000034
【図３３】
2006116811.tif 000035